(57)【要約】      （修正有）【課題】ベッド本体とヘッドボードとに分割可能な分割式ベッドのヘッドボードを、高さの異なる様々なベッド本体と適切に組み合わせることができるようにしたヘッドボードを提供する。【解決手段】ベッド本体２とヘッドボード３とに分割可能な分割式ベッド１のヘッドボード３は、下端を床Ｆから離間させた状態で部屋の壁Ｗに固定可能となっているので、高さの異なる様々なベッド本体と適切に組み合わせることができる。【選択図】図５
2016187451.tif 000002
【特許請求の範囲】
【請求項１】
ベッド本体とヘッドボードとに分離可能に構成されたベッドのヘッドボードにおいて、
下端を床から離間させた状態で部屋の壁に固定可能であることを特徴とするヘッドボード。
【請求項２】
請求項１に記載のヘッドボードにおいて、
前記壁に固定される被係合部と、
前記壁と対向する面に、前記被係合部に係合する係合部が設けられたボード本体と、からなることを特徴とするヘッドボード。
【請求項３】
請求項２に記載のヘッドボードにおいて、
前記ボード本体は、前記係合部が前記被係合部に係合した時に、背面の上端部および側端部が前記壁に当接するように形成されていることを特徴とするヘッドボード。
【請求項４】
請求項３に記載のヘッドボードにおいて、
ボード本体は、
中空箱状に形成され、
下部に下方を照らす照明を備えていることを特徴とするヘッドボード。
【請求項５】
請求項３または４に記載のヘッドボードにおいて、
前記ボード本体の側面に開口部が形成されていることを特徴とするヘッドボード。
【請求項６】
請求項１から５の何れか一項に記載のヘッドボードにおいて、
前記ヘッドボードにおける前記ベッド本体と対向する面には、当該面に沿って水平方向に移動可能かつ、前記ベッド本体に設けられる第二係合部と係合可能な第二被係合部が設けられていることを特徴とするヘッドボード。
【発明の詳細な説明】
【技術分野】
【０００１】
本発明は、ベッド本体とヘッドボードとに分割可能な分割式ベッドのヘッドボードに関する。
【背景技術】
【０００２】
ベッドの一種として、従来、フレームやマットレスからなるベッド本体と、ヘッドボードと、に分割可能に構成された分割式のものが知られている。分割可能とすることには、ベッドメーキングやメンテナンスが容易になる、ベッド本体とヘッドボードの何れかだけを交換することができるので経済的、といったメリットがある。
【先行技術文献】
【特許文献】
【０００３】
【特許文献１】特開平８−２２４１４２号公報
【発明の概要】
【発明が解決しようとする課題】
【０００４】
特許文献１に示したような分割式ベッドのヘッドボードは、何れも床に載置するものであった。つまり、ヘッドボードの縦方向の長さが、そのまま設置されたヘッドボードの上端の高さとなっていた。また、このようなヘッドボードは、ベッド本体に係合させないと自立できないものであった。このため、当該ヘッドボードに組み合わせる標準的なサイズのベッド本体に比べ、相対的に高め（低め）のベッド本体を組み合わせようとすると、係合部の位置が合わないために固定できず、ヘッドボードが不安定になってしまうという問題があった。また、固定できたとしても、ヘッドボードがベッド本体に対して低く（高く）なりすぎて、ベッドの見た目が悪くなる、といった問題もあった。
すなわち、従来の分割式ベッドのヘッドボードは、適切に組み合わせることのできるベッド本体のサイズが限られてしまっていた。
【０００５】
本発明は、上記課題に鑑みてなされたもので、ベッド本体とヘッドボードとに分割可能な分割式ベッドのヘッドボードを、高さの異なる様々なベッド本体と適切に組み合わせることができるようにすることを目的とする。
【課題を解決するための手段】
【０００６】
上記課題を解決するため、請求項１に記載の発明は、例えば図１〜６に示すように、ベッド本体２とヘッドボード３とに分離可能に構成された分割式ベッド１のヘッドボード３において、下端を床Ｆから離間させた状態で部屋の壁Ｗに固定可能であることを特徴とする。
【０００７】
請求項１に記載の発明によれば、壁Ｗの任意の位置にヘッドボード３を設けることができるので、組み合わせようとするベッド本体２の高さに合わせて取り付け高さを変えることにより、高さの異なる様々なベッド本体２と組み合わせることができるし、ベッド本体２に対しヘッドボード３が高すぎる或いは低すぎるということがなくなり、見た目を損なうこともなくなる。従って、高さの異なる様々なベッド本体２に適切に組み合わせることができる。
また、ヘッドボード３が壁Ｗに固定されることにより、ヘッドボード３をベッド本体２に係合させる必要がなくなるので、ヘッドボード３を通常よりも高めに配置して背もたれとして使用するなど、ベッド本体２とヘッドボード３との係合部の位置に縛られない自由な組み合わせも可能となる。
【０００８】
請求項２に記載の発明は、請求項１に記載のヘッドボード３において、例えば図３〜５に示すように、前記壁Ｗに固定される被係合部５と、前記壁Ｗと対向する面に、前記被係合部５に係合する係合部４５ｃ，４７が設けられたボード本体４と、からなることを特徴とする。
【０００９】
請求項２に記載の発明によれば、被係合部５を固定して取り付け位置を決めてからボード本体４の係合部４５ｃ，４７を被係合部５に係合させることによりヘッドボード３が設置されるので、重いボード本体４を持ち上げながら位置決めし、ボード本体４を直接釘やビス等で固定する場合に比べ、ヘッドボード３の設置を容易に行うことができる。
【００１０】
請求項３に記載の発明は、請求項２に記載のヘッドボード３において、例えば図３，５に示すように、前記ボード本体４は、前記係合部４５ｃ、４７が前記被係合部５に係合した時に、背面の上端部４５ｃおよび側端部４４ｂが前記壁Ｗに当接するように形成されていることを特徴とする。
【００１１】
請求項３に記載の発明によれば、被係合部５や係合部４５ｃ，４７が遮蔽されるので、ヘッドボード３の美観を損ねることが無い。
【００１２】
請求項４に記載の発明は、請求項３に記載のヘッドボード３において、例えば図５に示すように、前記ボード本体４は、中空箱状に形成され、下部に下方を照らす照明４３ｄを備えていることを特徴とする。
【００１３】
請求項４に記載の発明によれば、枕元近くの床Ｆを明るくすることができるので、例えば、夜中に目が覚めて起き上がる場合等、その場で明かりが必要になったときに便利である。
また、照明４３ｄは、中空箱状に形成されたボード本体４に設けられるので、照明４３ｄの発光部や電源コード等をボード本体４の中に隠しておくことができ、ヘッドボード３の美観を損ねることが無い。
【００１４】
請求項５に記載の発明は、請求項３または４に記載のヘッドボード３において、例えば図２，３に示すように、前記ボード本体の側面に開口部４ｂが形成されていることを特徴とする。
【００１５】
請求項５に記載の発明によれば、ヘッドボード３の側部を、枕元から出し入れし易い収納として使うことができるので、就寝時に必要なもの等を収納しておくことができる。
【００１６】
請求項６に記載の発明は、請求項１から５の何れか一項に記載のヘッドボード３において、例えば図２，６に示すように、前記ヘッドボード３における前記ベッド本体２と対向する面には、当該面に沿って水平方向に移動可能かつ、前記ベッド本体２に設けられる第二係合部２３と係合可能な第二被係合部４１ａ設けられていることを特徴とする。
【００１７】
請求項６に記載の発明によれば、第二被係合部４１ａの水平方向の位置を変えられるので、高さだけでなく幅の異なる様々なベッド本体２と組み合わせることができる。
【発明の効果】
【００１８】
本発明によれば、ベッド本体とヘッドボードとに分割可能な分割式ベッドのヘッドボードを、高さの異なる様々なベッド本体と適切に組み合わせることができる。
【図面の簡単な説明】
【００１９】
【図１】本発明の実施形態に係る分割式ベッドを構成するベッド本体の一例を示した斜視図である。
【図２】同実施形態に係る分割式ベッドを構成するヘッドボードを正面側から示した斜視図である。
【図３】図２のヘッドボードを構成するボード本体を背面側から示した斜視図である。
【図４】図２のヘッドボードを構成する被係合部を背面側から示した斜視図である。
【図５】図２のＶ−Ｖ断面図である。
【図６】図１のベッド本体と図２のヘッドボードとを係合させた状態を示す平面図である。
【発明を実施するための形態】
【００２０】
以下、図面を参照して、本発明の実施の形態について詳細に説明する。図１はヘッドボードに組み合わせるベッド本体の一例を示した斜視図、図２は本実施形態のヘッドボード３を、壁Ｗの壁面の向きと同じ方向を向く面（以下正面）側から示した斜視図、図３，４はヘッドボード３を構成する部材を、壁Ｗの壁面と対向する面（以下背面）側から示した斜視図、図５は図１の図Ｖ−Ｖ断面図、図６は図１のベッド本体と図２のヘッドボードとを係合させた状態を示す平面図である。
【００２１】
本実施形態の分割式ベッドは、図１に示すベッド本体２と、図２に示すヘッドボード３と、で構成されている。
【００２２】
ベッド本体２は、フレーム２１と、マットレス２２と、複数の係合部２３（第二係合部）と、で構成されている。
係合部２３は、図１に示したように、マットレス２２のヘッドボード３と対向する側面の両端部に、鉛直方向にスライド可能に設けられている。
【００２３】
ヘッドボード３は、図２に示したように、壁Ｗに向かって右側に配置される右ボード３Ｒと、左側に配置される左ボード３Ｌと、を並べて配置することにより構成されている。すなわち、ヘッドボード３は、右ボード３Ｒと、左ボード３Ｌと、に分割可能に構成されている。右ボード３Ｒと、左ボード３Ｌと、は左右対称に構成されているため、ここでは主に、図２，３の手前側に描かれた左ボード３Ｌについて説明することとする。
【００２４】
本実施形態の左ボード３Ｌは、図２，３に示すボード本体４と、図４に示す被係合部５複数本（本実施形態では２本）と、で構成されている。
ボード本体４は、図２，３に示したように、主板４１と、棚４２と、底部４３と、収納部４４と、上照明部４５と、ボード側板４６と、中背板４７と、で略中空箱状に構成されている。
【００２５】
主板４１は、ヘッドボード３の正面を構成する板材であり、本実施形態においては、正面視の形状が矩形とされ、壁Ｗの壁面と平行に立設されている。主板４１の正面中央部には、ベッド本体の係合部２３と係合可能な被係合部４１ａ（第二被係合部）が、主板４１の正面に沿って水平方向にスライド可能に設けられている。
棚４２は、主板４１正面における右ボード３Ｒから離れた方の端部（以下一側端部）に、壁Ｗから遠ざかる方向に水平に延設されている。
【００２６】
底部４３は、図３に示したように、主板４１の背面下部に設けられている。底部４３は、上板４３ａと、下背板４３ｂと、底側板４３ｃと、ランプ４３ｄ（図５参照）と、で構成されている。
上板４３ａは、主板４１の背面に、壁Ｗの方向に水平に、かつ主板４１の幅方向に沿って延設されている。
下背板４３ｂは、ボード本体４の背面下部を形成する帯状の板材であり、上板４３ａの壁Ｗ寄りの端部から鉛直下方（主板４１と平行）に、かつ上板４３ａの延設方向に沿って延設されている。
底側板４３ｃは、上板４３ａの一側端部および下背板４３ｂの一側端部に、図５に示す主板４１、上板４３ａおよび下背板４３ｂで形成された凹部４ａを覆うように取り付けられている。
ランプ４３ｄは、上板４３ａの下面における一側端部に、凹部４ａ内に収まるように、かつ下方を照らすように取り付けられている。
【００２７】
収納部４４は、図３に示したように、主板４１の背面一側端部であって底部４３の上に設けられている。収納部４４は、天板４４ａと、側背板４４ｂと、収納側板４４ｃと、棚板４４ｄと、で構成されている。
天板４４ａは、主板４１の背面上部から、壁Ｗの方向に水平に延設されている。
側背板４４ｂは、ボード本体４の背面側部を形成する板材であり、天板４４ａの壁Ｗ寄りの端部から底部４３の壁Ｗ寄りの端部まで主板４１と平行に延設されている。すなわち、ボード本体４の一端側の側面には、主板４１、天板４４ａ、側背板４４ｂおよび底部４３によって側面開口部４ｂが形成されている。
収納側板４４ｃは、天板４４ａの他側端部から底部４３まで側面開口部４ｂの奥を塞ぐように延設されている。
棚板４４ｄは、主板４１と側背板４４ｂとの間に水平に設けられている。なお、図３には１枚配置された状態を示したが、複数枚であってもよい。
【００２８】
上照明部４５は、主板４１の背面上部であって、収納部４４の他側方に設けられている。上照明部４５は、前板４５ａと、底板４５ｂと、上背板４５ｃと、ランプ４５ｄ（図５参照）と、カバー４５ｅ（図５参照）と、で構成されている。
前板４５ａは、主板４１の背面に、主板４１に沿ってかつ主板４１の幅方向に延設されている。
底板４５ｂは、前板４５ａの下端部から壁Ｗの方向に水平に、かつ前板４５ａの延設方向に沿って延設されている
上背板４５ｃは、ボード本体４の背面上部を形成する矩形の板材である。上背板４５ｃは、底板４５ｂの壁Ｗ寄りの端部から鉛直上方（前板４５ａと平行）および下方に、かつ底板４５ｂの延設方向に沿って延設されている。上背板４５ｃの下面は、図５に示したように、壁Ｗから離れるに従って上方に向かうように傾斜している。
ランプ４５ｄは、底板４５ｂの上面に、前板４５ａ、底板４５ｂおよび上背板４５ｃで形成された凹部４ｃに収まるように、かつ上方を照らすように取り付けられている。
カバー４５ｅは、樹脂やガラス製で光を透過可能に形成された板材であり、前板４５ａの上面および上背板４５ｃの上面に、凹部４ｃを覆うように取り付けられている。
【００２９】
ボード側板４６は、図３に示したように、上照明部４５の底板４５ｂの他側端部から底部４３の他側端部まで延設されている。すなわち、ボード側板４６は、ボード本体４の他端側の側面を形成している。
中背板４７は、ボード本体４の背面中央部を形成する矩形の板材である。中背板４７は、ボード側板４６中間部における壁Ｗ寄りの端部から主板４１と平行に収納部４４の収納側板４４ｃの中間部まで延設されている。中背板４７の下面は、図５に示したように、壁Ｗから離れるに従って上方に向かうように傾斜している。中背板４７と上背板４５ｃとの間、および中背板４７と下背板４３ｂとの間は、図３に示したように、それぞれ所定距離離間している。すなわち、ボード本体４の背面には、上下二つの矩形型の背面開口部４ｄ，４ｅが形成されている。
【００３０】
各被係合部５は、図４に示したように、第一板材５１と、第二板材５２と、で構成されている。
第一板材５１は、横幅が背面開口部４ｄ，４ｅの横幅よりもやや短く、縦幅が背面開口部４ｄ，４ｅの縦幅よりも短い矩形に形成されている。
第二板材５２は、横幅が第一板材５１と等しく、縦幅が第一板材５１よりも短い矩形に形成されている。第二板材５２の上面は、正面に近づくに従って上方に向かうように傾斜している。第二板材５２は、第一板材５１の背面に、第一板材５１の背面上端部が露出するように取り付けられている。
【００３１】
被係合部５は、図５に示したように、第二板材５２の背面を壁Ｗの壁面に当接させた状態で、釘やビス等の固定具Ｂを、第一板材５１および第二板材５２を貫通するように打ち込む或いは螺入させることにより、壁Ｗに固定されている。また、上側に配置される被係合部５の上端から下側に配置される被係合部５の上端までの距離は、ボード本体４における上背板４５ｃの下端から中背板４７の下端までの距離と等しくなっている。
【００３２】
上述したボード本体４は、上背板４５ｃの下端部および中背板４７の下端部を、壁Ｗの上下に固定された各被係合部５の第一板材５１上端部と壁Ｗとの間に嵌合させることにより被係合部５に係合している。このとき、各被係合部５が背面開口部４ｄ，４ｅに入り込むとともに、各背板４５ｃ、４７の傾斜した下面と、各被係合部５における第二板材５２の傾斜した上面とが当接することでボード本体４が壁Ｗの方向に押し付けられるので、各背板４３ｂ，４４ｂ，４５ｃ，４７が壁Ｗに当接する。
【００３３】
なお、ボード本体４は、各被係合部５の固定位置を調節することにより任意の位置に取り付けることができる。従って、床Ｆから下側の被係合部５の傾斜面の下端までの距離が、ボード本体４の下端から中背板４７の下端までの距離よりも大きくなるように取り付け位置を設定すれば、ボード本体４は、下端が床Ｆから離間した状態で設置されることとなる。
【００３４】
上述したベッド本体２は、このようにして設置されたヘッドボード３の左ボード３Ｌ、および左ボード３Ｌと同様にして構成・設置された右ボード３Ｒにそれぞれ設けられた被係合部４１ａに、図６に示すように、一対の係合部２３をそれぞれ係合させることにより、ヘッドボード３と一体化している。ベッド本体２の係合部２３は、上述したように、鉛直方向にスライド可能に構成されているので、ヘッドボード３が上下に移動しても係合させることが可能である。また、ベッド本体２の幅が大きく（小さく）、係合部２３同士の距離が標準的なサイズのベッド本体２に比べて離れている（近づいている）場合であっても、主板４１の被係合部４１ａの位置を水平方向に移動させることで、係合させることが可能である。なお、分割式ベッド１をベッド本体２とヘッドボード３とに分割したい場合には、ベッド本体２を上に持ち上げて、ヘッドボード３から離れる方向に引くだけよい。
【００３５】
以上のように、本実施形態では、図１〜６に示したように、ベッド本体２とヘッドボード３とに分離可能に構成された分割式ベッド１のヘッドボード３において、下端を床Ｆから離間させた状態で部屋の壁Ｗに固定可能であるものとした。
こうすることで、壁Ｗの任意の位置にヘッドボード３を設けることができるので、組み合わせようとするベッド本体２の高さに合わせて取り付け高さを変えることにより、高さの異なる様々なベッド本体２と組み合わせることができるし、ベッド本体２に対しヘッドボード３が高すぎる或いは低すぎるということがなくなり、見た目を損なうこともなくなる。従って、高さの異なる様々なベッド本体２に適切に組み合わせることができる。
また、ヘッドボード３が壁Ｗに固定されることにより、ヘッドボード３をベッド本体２に係合させる必要がなくなるので、ヘッドボード３を通常よりも高めに配置して背もたれとして使用するなど、ベッド本体２とヘッドボード３との係合部の位置に縛られない自由な組み合わせも可能となる。
【００３６】
また、本実施形態のヘッドボード３は、図３〜５に示したように、壁Ｗに固定される被係合部５と、背面（壁と対向する面）に、被係合部５に係合する背板４５ｃ，４７（係合部）が設けられたボード本体４と、からなるものとした。
こうすることで、被係合部５を固定して取り付け位置を決めてからボード本体４の背板４５ｃ，４７を被係合部５に係合させることによりヘッドボード３が設置されるので、重いボード本体４を持ち上げながら位置決めし、ボード本体４を直接釘やビス等で固定する場合に比べ、ヘッドボード３の設置を容易に行うことができる。
【００３７】
また、本実施形態のヘッドボード３は、図２，３，５に示したように、ボード本体４は、背板４５ｃ、４７が被係合部５に係合した時に、上背板４５ｃ（背面の上端部）および収納背板４４ｂ（背面の側端部）が壁Ｗに当接するように形成されているものとした。
こうすることで、被係合部５や背板４５ｃ，４７が遮蔽されるので、ヘッドボード３の美観を損ねることが無い。
【００３８】
また、本実施形態のヘッドボード３は、図５に示したように、ボード本体４は、中空箱状に形成され、下部に下方を照らすランプ４３ｄ（照明）を備えているものとした。
こうすることで、枕元近くの床Ｆを明るくすることができるので、例えば、夜中に目が覚めて起き上がる場合等、その場で明かりが必要になったときに便利である。
また、ランプ４３ｄは、中空箱状に形成されたボード本体４に設けられるので、ランプ４３ｄの発光部分や電源コード等をボード本体４の中に隠しておくことができ、ヘッドボード３の美観を損ねることが無い。
【００３９】
また、本実施形態のヘッドボード３は、図２，３に示したように、ボード本体の側面に側面開口部４ｂ（開口部）が形成されているものとした。
こうすることで、ヘッドボード３の側部を、枕元から出し入れし易い収納として使うことができるので、就寝時に必要なもの等を収納しておくことができる。
【００４０】
また、本実施形態のヘッドボード３は、図２，６に示したように、ヘッドボード３におけるベッド本体２と対向する面には、当該面に沿って水平方向に移動可能かつ、ベッド本体２に設けられる係合部２３（第二係合部）と係合可能な被係合部４１ａ（第二被係合部）設けられているものとした。
こうすることで、被係合部４１ａの水平方向の位置を変えられるので、高さだけでなく幅の異なる様々なベッド本体２と組み合わせることができる。
【００４１】
以上、本発明を実施形態に基づいて具体的に説明してきたが、本発明は上記実施形態に限定されるものではなく、その要旨を逸脱しない範囲で変更可能である。
例えば、上記実施形態では、複数の背板４３ｂ，４５ｃ，４７を互いに離間するように配置して（背面開口部４ｄ，４ｅを形成して）、背板４５ｃ，４７を被係合部５に係合するようにしたが、一枚の背板の所定箇所をくり抜いて、上部の下面が被係合部５上面の傾斜に対応するように傾斜するとともに被係合部５が入ることが可能な窪みを形成してもよい。
また、上記実施形態では、ボード本体の背板４５ｃ、４７を係合部として用いたが、背板に、下面が被係合部５上面の傾斜に対応するように傾斜した板材を固定して係合部としてもよい。その場合、係合部や被係合部５の厚みの分だけ壁Ｗと背板とが離間することになるので、ボード本体４の上面および側面を壁Ｗ側に向かって延設することで、係合部や被係合部５を遮蔽するとよい。
また、上記実施形態では、左右二つに分割可能なものとしたが、三つ以上に分割可能なものや、分割不能なものであってもよい。
また、上照明部のランプ４５ｄは、ボード本体４内に収納されたものとしたが、ボード本体の上面に載置されたものとしてもよい。
【符号の説明】
【００４２】
１    分割式ベッド
２    ベッド本体
２１  フレーム
２２  マットレス
２３  係合部（第二係合部）
３    ヘッドボード
３Ｌ  左ボード
３Ｒ  右ボード
４    ボード本体
４ａ  凹部
４ｂ  側面開口部（開口部）
４ｃ  凹部
４ｄ，４ｅ  背面開口部
４１  主板
４１ａ      被係合部（第二被係合部）
４２  棚
４３  底部
４３ａ      上板
４３ｂ      下背板
４３ｃ      底側板
４３ｄ      ランプ（照明）
４４  収納部
４４ａ      天板
４４ｂ      側背板（背面の側端部）
４４ｃ      収納側板
４４ｄ      棚板
４５  上照明部
４５ａ      前板
４５ｂ      底板
４５ｃ      上背板（係合部、背面の上端部）
４５ｄ      ランプ
４５ｅ      カバー
４６  ボード側板
４７  中背板（係合部）
５    被係合部
５１  第一板材
５２  第二板材
Ｂ    固定具
Ｆ    床
Ｗ    壁
【図１】
2016187451.tif 000003
【図２】
2016187451.tif 000004
【図３】
2016187451.tif 000005
【図４】
2016187451.tif 000006
【図５】
2016187451.tif 000007
【図６】
2016187451.tif 000008